(57)【要約】【課題】本発明は、従来にない作用効果を発揮する画期的な縫合針を提供することを目的とする。【解決手段】針本体１の先端部位の左右側部には凹凸部が設けられ、この凹凸部の縁部が小刃６，７に設定されたものである。【選択図】図１
2011136087.tif 000002
【特許請求の範囲】
【請求項１】
針本体の先端部位の左右側部には凹凸部が設けられ、この凹凸部の縁部が小刃に設定されていることを特徴とする縫合針。
【請求項２】
請求項１記載の縫合針において、前記小刃は前記凹凸部の凸部の縁部に設けられていることを特徴とする縫合針。
【請求項３】
請求項２記載の縫合針において、前記凸部は針本体の長さ方向に複数設けられていることを特徴とする縫合針。
【請求項４】
請求項１〜３いずれか１項に記載の縫合針において、前記針本体の先端部位は断面三角形状に構成されており、この断面三角形状の先端部位の左右側縁夫々に前記凹凸部が設けられていることを特徴とする縫合針。
【請求項５】
針本体の先端部位の左右側部には凸部が設けられ、この左右の凸部夫々の縁部が小刃に設定されていることを特徴とする縫合針。
【請求項６】
請求項５記載の縫合針において、左右の前記凸部夫々は複数設けられていることを特徴とする縫合針。
【請求項７】
請求項５，６いずれか１項に記載の縫合針において、左右の前記凸部夫々は前記針本体の長さ方向に複数並設されていることを特徴とする縫合針。
【請求項８】
請求項５〜７いずれか１項に記載の縫合針において、前記針本体の先端部位の左右側部には、前記針本体の長さ方向に延設される直線状の峰部が設けられ、この峰部夫々に前記凸部が設けられていることを特徴とする縫合針。
【請求項９】
請求項１〜８いずれか１項に記載の縫合針において、前記針本体は先端から基端まで凹湾曲状に形成されていることを特徴とする縫合針。
【発明の詳細な説明】
【技術分野】
【０００１】
本発明は、例えば外科手術で使用される縫合針に関するものである。
【背景技術】
【０００２】
例えば外科手術で使用される縫合針として、体組織への刺入性を向上すべく、本出願人は、特開２０００−１３９９３１号に開示されるように針本体の断面形状を多角形にした縫合針や、特開２００７−２６８１３６号に開示されるように針本体の周面対向位置にして長さ方向に凹溝部を形成した縫合針を提案している。
【０００３】
これら縫合針は、体組織へ刺入した際、刺入した部位（体組織）との接触面積が少なくなることで刺入抵抗が低減され、よって、体組織への負荷がかかり難く良好な縫合作業が行えるものである。
【先行技術文献】
【特許文献】
【０００４】
【特許文献１】特開２０００−１３９９３１号公報
【特許文献２】特開２００７−２６８１３６号公報
【発明の概要】
【発明が解決しようとする課題】
【０００５】
本発明者は、これら縫合針について更なる研究・実験を重ね、その結果、従来にない作用効果を発揮する画期的な縫合針を開発した。
【課題を解決するための手段】
【０００６】
添付図面を参照して本発明の要旨を説明する。
【０００７】
針本体１の先端部位の左右側部には凹凸部が設けられ、この凹凸部の縁部が小刃６，７に設定されていることを特徴とする縫合針に係るものである。
【０００８】
また、請求項１記載の縫合針において、前記小刃６，７は前記凹凸部の凸部４，５の縁部に設けられていることを特徴とする縫合針に係るものである。
【０００９】
また、請求項２記載の縫合針において、前記凸部４，５は針本体１の長さ方向に複数設けられていることを特徴とする縫合針に係るものである。
【００１０】
また、請求項１〜３いずれか１項に記載の縫合針において、前記針本体１の先端部位は断面三角形状に構成されており、この断面三角形状の先端部位の左右側縁２，３夫々に前記凹凸部が設けられていることを特徴とする縫合針に係るものである。
【００１１】
また、針本体１の先端部位の左右側部には凸部４，５が設けられ、この左右の凸部４，５夫々の縁部が小刃６，７に設定されていることを特徴とする縫合針に係るものである。
【００１２】
また、請求項５記載の縫合針において、左右の前記凸部４，５夫々は複数設けられていることを特徴とする縫合針に係るものである。
【００１３】
また、請求項５，６いずれか１項に記載の縫合針において、左右の前記凸部４，５夫々は前記針本体１の長さ方向に複数並設されていることを特徴とする縫合針に係るものである。
【００１４】
また、請求項５〜７いずれか１項に記載の縫合針において、前記針本体１の先端部位の左右側部には、前記針本体１の長さ方向に延設される直線状の峰部２，３が設けられ、この峰部２，３夫々に前記凸部４，５が設けられていることを特徴とする縫合針に係るものである。
【００１５】
また、請求項１〜８いずれか１項に記載の縫合針において、前記針本体１は先端から基端まで凹湾曲状に形成されていることを特徴とする縫合針に係るものである。
【発明の効果】
【００１６】
本発明は上述のように構成したから、例えば体組織へ刺入した際の刺入抵抗が可及的に低減され、体組織への負荷がかかりにくく良好な縫合が行なえることになるなど従来にない作用効果を発揮する画期的な縫合針となる。
【図面の簡単な説明】
【００１７】
【図１】実施例１を示す斜視図である。
【図２】実施例１に係る要部の平面図である。
【図３】図２のＡ−Ａ断面図である。
【図４】図２のＢ−Ｂ断面図である。
【図５】実施例１に係る要部の低面図である。
【図６】実施例１に係る要部の側面図である。
【図７】実施例１の製造方法の説明図である。
【図８】実施例１の製造方法の説明図である。
【図９】実施例１の製造方法の説明図である。
【図１０】実施例１の製造方法の説明図である。
【図１１】実施例１の製造方法の説明図である。
【図１２】実験体１に係る要部の平面図である。
【図１３】実験体２に係る要部の平面図である。
【図１４】実験体１及び実験体２の刺入性能比較実験の結果を示す図である。
【図１５】実施例２に係る要部の側面図である。
【発明を実施するための形態】
【００１８】
好適と考える本発明の実施形態を、図面に基づいて本発明の作用を示して簡単に説明する。
【００１９】
体組織に刺入した際、左右側部に設けられた凹凸部の縁部から成る小刃６，７によって体組織を鋭利に切り込むことになり、体組織に刺入した際の刺入抵抗が可及的に低減する。この点については後述する刺入性能比較試験により確認済みである。
【００２０】
従って、体組織への刺入開始時での刺入抵抗が可及的に低減し、これを契機として、その後の基端側部位における刺入が円滑に行なわれることにもなり、よって、体組織への負荷がかかりにくく良好な縫合作業が行なわれることになる。
【実施例１】
【００２１】
本発明の具体的な実施例１について図面に基づいて説明する。
【００２２】
本実施例は、外科手術で使用される縫合針である。
【００２３】
具体的には、針本体１は、図１に図示したように適宜な金属製の直線棒状部材を凹湾曲形成したものであり、その先端には先鋭部１ａが設けられ、基端には縫合糸Ｔを嵌挿連結する断面円形状の連結部１ｂ（孔部）が設けられている。
【００２４】
尚、針本体１の全長（直線棒状部材の長さ）は約１３ｍｍであり、後述する凸部４，５や断面多角形状部を形成した後に凹湾曲形成している。
【００２５】
また、針本体１は、図１に図示したように断面多角形状部が形成されている。
【００２６】
本実施例では、この断面多角形状部は形状の異なる断面多角形状部を針本体１の長さ方向に並設して構成されており、具体的には、針本体１の上面（凹湾曲形成した後の内面）にして該針本体１の先端から基端側所定位置Ｐ３までの間に形成される平坦面を基準に、各断面多角形状部が形成され、針本体１の先端から基端側所定位置Ｐ１（先端から約３ｍｍ位置）までの間に設けられる断面三角形状部と、この断面三角形状部よりも基端側（基端側所定位置Ｐ１から基端側所定位置Ｐ２（先端から約４．５ｍｍ位置）までの間）に設けられる断面五角形状部（ベース形状）と、この断面五角形状部よりも基端側（基端側所定位置Ｐ２から基端側所定位置Ｐ３（先端から約１０．５ｍｍ）までの間）に設けられる断面四角形状部と、この断面四角形状部よりも基端側（基端側所定位置Ｐ３から基端までの間）に設けられる断面円形状部とで構成されている。
【００２７】
この構成から、針本体１の先端から基端側所定位置Ｐ３までの左右側部の上面側には、針本体１の長さ方向に延設され所定長を有する先鋭の角縁２，３（峰部）が設けられる。
【００２８】
尚、この断面多角形状部（断面三角形状部，断面五角形状部及び断面四角形状部）における角縁同士間の面は凹状面に形成しても良く、実際に断面三角形状部の左右側面部には後述する凹溝部８が設けられており、特殊形状の断面三角形状に形成されている。
【００２９】
また、針本体１の先端部位の左右側部には凹凸部が設けられ、この凹凸部の縁部が小刃６，７に設定されている。
【００３０】
具体的には、この小刃６，７は、図１〜６に図示したように該針本体１の先端部位（断面三角形状部）の左右側部に形成された峰部２，３（角縁）夫々に凸部４，５が複数設けられ、この凸部４，５夫々の縁部が小刃６，７に設定されており、よって、小刃６，７は針本体１の長さ方向に複数並設されている。
【００３１】
つまり、針本体１の左右側部には凹凸部が形成され、各凸部４，５における針本体１の先端側の縁部が小刃６，７に設定されている。
【００３２】
次に、この針本体１の先端部位の左右側部に設けられる小刃６，７の製造方法について説明する。
【００３３】
先ず、図７，８に図示したように直線棒状部材の断面円形状の部位10をプレスして断面四角形状の部位11を形成し、続いて、図９に図示したようにこの断面四角形状の部位11を切削して断面五角形状の部位12を形成する。
【００３４】
続いて、図10に図示したようにこの断面五角形状の部位12を上下の金型13Ａ，13Ｂでプレスして左右側部に凹溝部８を設けるとともに、左右側部の上方位置に凸部４，５を設ける。この凹溝部８は下金型13Ａの左右部位に膨出形成される角状凸部13ｂで形成され、凸部４，５夫々は下金型13Ａに凹設される円弧状凹部13ａで形成される。この円弧状凹部13ａは下金型13Ａの長さ方向に複数並設されており、この円弧状凹部13ａ同士の間に設けられる図示省略の円弧状凸部により針本体１の左右側部に設けられる各凸部４，５同士間には凹部（凹溝部８を構成する凹部も含む）が形成される。
【００３５】
続いて、図11に図示したように断面三角形状の部位12の上部分を切削すると、断面三角形状の部位12には、該断面三角形状の部位12の長さ方向に延設され所定長を有する直線状の峰部２，３（角縁）が設けられ、この峰部２，３夫々には凸部４，５が設けられ、この凸部４，５夫々の縁部により小刃６，７が形成される。
【００３６】
尚、小刃６，７としては、針本体１の先端部位の左右側部に複数の凹部を間隔を介して設け、この凹部間の部分の縁部を小刃６，７に設定するようにしても良い。
【００３７】
また、本実施例は、前述したように針本体１の先端部位の左右側部には、直線状の凹溝部８が該針本体１の長さ方向に設けられている。尚、凹溝部８は複数本ずつ設けるようにしても良い。
【００３８】
この凹溝部８を設けたことにより、例えば体組織に刺入した針本体１を引き抜く際、該凹溝部８により体組織との接触面積が少なくなるため該体組織に対する刺入抵抗及び引き抜き抵抗は可及的に低減されることになる。
【００３９】
本実施例は上述のように構成したから、この針本体１の先端部位の左右側部に複数の凸部４，５を設けて複数の小刃６，７を設けたことにより、例えば体組織に刺入した際、この凸部４，５の小刃６，７によって体組織を鋭利に且つ断続的に切り込むことになり、その結果、体組織に刺入した際の刺入抵抗が可及的に低減されることになる。即ち、この凸部４，５夫々が複数設けられ複数の小刃６，７を有することにより、この針本体１の先端部の左右側部は体組織に刺入した際に一定に連続する切り込みでなく、断続的な切り込みを行うことで良好な刺入が達成される。
【００４０】
本出願人は、前述した刺入抵抗が可及的に低減されることを実験により確認している。
【００４１】
即ち、図12に図示したように本実施例に係る構造（針本体１の先端部位の左右側部に凸部４，５を設けた構造）の実験体１と、図13に図示したように針本体１の先端部位の左右側部に凸部４，５を具備しない実験体２とを用意し、この両者の刺入性能比較実験を行った。
【００４２】
この刺入性能比較実験は、実験体１及び実験体２を同一の被刺入部材に対して同一の圧力で刺入した際に生じる摩擦抵抗値を測定して比較する実験であり、この結果を図14に図示したグラフで表している。尚、グラフの横軸は実験体１及び実験体２の先端からの長さ（ｍｍ）であり、縦軸は被刺入部材に対して刺入した際に生じる摩擦抵抗値（Ｎ）である。
【００４３】
グラフ中の黒線は実験体１を示し、白線は実験体２を示しており、このグラフをみるに、実験体１は実験体２に比し、針本体１の先端から最初の凸部４，５が設けられる約０．６ｍｍの位置から最後の凸部４，５が設けられる約２．５ｍｍの位置にかけて摩擦抵抗値が低い。この凸部４，５が設けられる位置を通過することで刺入抵抗が低いことに起因してか、その後の部位における摩擦抵抗値も低い。
【００４４】
以上から、この実験により針本体１の先端部位の左右側部に凸部４，５（小刃６，７）を設けることが極めて有効であることが分かった。
【００４５】
よって、本実施例によれば、特に体組織への刺入開始時に抵抗のかかる針本体１の先端部位である左右側部での刺入抵抗が可及的に低減され、これをきっかけとして、その後の針本体１の基端側部位における刺入が円滑に行なわれることにもなり、よって、体組織への負荷がかかり難く良好な縫合作業が行なわれることになる。
【００４６】
また、本実施例は、針本体１の先端部位の左右側部に凹溝部８が針本体１の長さ方向に設けられているから、この凹溝部８の存在によっても体組織との接触面積が少なくなるため該体組織に対する刺入抵抗が可及的に低減される。
【００４７】
また、本実施例は、針本体１に断面多角形状部が形成されており、この断面多角形状部における角縁によって体組織を鋭利に切り込むことになり、体組織に刺入した際の刺入抵抗が可及的に低減されることになる。
【００４８】
また、本実施例に係る断面多角形状部は形状の異なる断面多角形状部を針本体１の長さ方向に並設して構成されているから、刺入途時にて形状変化させることで切り込み作用を生じさせることになり、体組織に刺入した際の刺入抵抗が可及的に低減されることになる。
【００４９】
具体的には、本実施例は、断面多角形状部は針本体１の先端側に設けられる断面三角形状部と、この断面三角形状部よりも基端側に設けられる断面五角形状部及び断面四角形状部とで構成されているから、刺入途時にて角の数が変わる形状変化させることで切り込み作用を生じさせることになり、体組織に刺入した際の刺入抵抗を可及的に低減できることになる。
【実施例２】
【００５０】
本発明の具体的な実施例２について図面に基づいて説明する。
【００５１】
本実施例は、針本体１の左右側部に凸部４，５及び小刃６，７を設ける他にも、針本体１の先端部にして断面三角形状部の外面部（下面部）に凹凸部が設けられ、この凹凸部の縁部が小刃15に設定されている。
【００５２】
具体的には、この小刃15は、図15に図示したように該針本体１の先端部（断面三角形状部）の外面部に形成された峰部16（角縁）に針本体１の軸心方向へ向けて凹部14を複数設け、この凹部14の縁部が凸状の小刃15に設定されており、小刃15は針本体１の長さ方向に複数並設されている。
【００５３】
この凹部14は前述した左右側部の凸部４，５と同様、プレスにより形成しても良いし、切削により形成しても良い。
【００５４】
尚、本発明は、実施例１，２に限られるものではなく、各構成要件の具体的構成は適宜設計し得るものである。
【符号の説明】
【００５５】
１  針本体
２  側縁・峰部
３  側縁・峰部
４  凸部
５  凸部
６  小刃
７  小刃
【図１】
2011136087.tif 000003
【図２】
2011136087.tif 000004
【図３】
2011136087.tif 000005
【図４】
2011136087.tif 000006
【図５】
2011136087.tif 000007
【図６】
2011136087.tif 000008
【図７】
2011136087.tif 000009
【図８】
2011136087.tif 000010
【図９】
2011136087.tif 000011
【図１０】
2011136087.tif 000012
【図１１】
2011136087.tif 000013
【図１２】
2011136087.tif 000014
【図１３】
2011136087.tif 000015
【図１４】
2011136087.tif 000016
【図１５】
2011136087.tif 000017